(57)【特許請求の範囲】
【請求項１】
ばら状態のチップ部品を収納する収納部と、
この収納部の下部に設けられ上記収納部内のチップ部品を搬送する第１の搬送部と、
上記収納部からチップ部品を取り出し、第１の搬送部に供給する取り出しスライダーと、上記第１の搬送部の終端に設けられ間欠移動して第１の搬送部から順次排出されるチップ部品を所定位置に搬送する第２の搬送部と、
この第２の搬送部の終端に設けられ順次搬送されるチップ部品を位置決めしてから１個ずつ分離して取り出す取り出し部とからなり、
上記第１の搬送部は、上記チップ部品を水平方向に第２の搬送部へ搬送するよう断面形状が矩形の連通穴を傾斜して設け、
上記取り出しスライダーは、上記第１の搬送部の一方側の面に沿って摺動可能に構成され、かつその摺動方向に沿って上記収納部内のチップ部品を案内する溝を設け、この溝に整列されたチップ部品を順次上記連通穴に落とし込むよう構成されたことを特徴とするチップ部品供給装置。
【発明の詳細な説明】
【０００１】
【産業上の利用分野】
本発明は回路基板にチップ形の電子部品を装着する際に使用される電子部品装着装置に付随して使用され、チップ部品を個々に順次供給するチップ部品供給装置に関するものである。
【０００２】
【従来の技術】
従来図３０（ａ）〜（ｃ）に示すようなチップ形の電子部品（以下、チップ部品と呼ぶ）１ａ〜１ｃ（以下、１とする）を、ばらばらの状態で電子部品装着装置（図示せず）に整列供給する際に、図３１のようなチップ部品供給装置が使用されていた。この図３１に示すチップ部品供給装置では、チップ部品１が収納箱４７にばら状態で収納されており、部品取り出し管４８を収納箱４７内に差し込み、部品取り出し管４８を上下に往復運動させることにより部品搬送管５０内にチップ部品１を落とし込んで整列させる。落とし込んだチップ部品１は、部品搬送管５０の終端の下部に配設されたベルト５２上に供給され、このベルト５２の上面側に配設されたカバー５３でガイドされながら図中矢印Ｂ方向に順次搬送される。ベルト５２の先端部まで搬送されたチップ部品１はストッパー５７に当たり定位置に停止する。
【０００３】
また、上記の動作レバー４９ａを電子部品装着装置により矢印Ａ方向に駆動することによりレバー４９ｂ，４９ｃを介して部品取り出し管４８が収納箱４７内を上下に往復運動してチップ部品１を取り出すと共に、連結片５６ａを介してラチェット５５、ラチェットホイール５１が間欠回転してベルト５２を移送し、さらに連結片５６ｂを介してストッパー５７を移動させるような関係に構成されており、上記の動作を１サイクルとして順次チップ部品１を取り出すようにしていた。
【０００４】
【発明が解決しようとする課題】
しかしながらこのような従来のチップ部品供給装置では、収納箱４７内から部品取り出し管４８でチップ部品１を取り出す時、チップ部品の断面が図３０（ａ）の円形、同（ｃ）の正方形のチップ部品１に対しては、図３２（ａ）、（ｃ）で示すようにチップ部品１の方向性に影響を受けず３６０°回転しても供給ができ、また部品搬送管５０もチップ部品１の断面形状の２倍まで径を大きくでき、整列供給量も十分に確保できるが、チップ部品１の断面が図３０（ｂ）の長方形のチップ部品１に対しては、部品搬送管５０を単純に径を大きくすると図３２（ｂ）で示すようにチップ部品１が２個入り、整列供給ができないという課題を有していた。
【０００５】
本発明はこのような従来の課題を解決するものであり、断面が長方形のチップ部品に対しても確実に、かつ高速で整列供給量を十分に確保できるチップ部品供給装置を提供しようとするものである。
【０００６】
【課題を解決するための手段】
上記課題を解決するために本発明のチップ部品供給装置は、ばら状態のチップ部品を収納する収納部と、この収納部の下部に設けられ上記収納部内のチップ部品を搬送する第１の搬送部と、上記収納部からチップ部品を取り出し、第１の搬送部に供給する取り出しスライダーと、上記第１の搬送部の終端に設けられ間欠移動して第１の搬送部から順次排出されるチップ部品を所定位置に搬送する第２の搬送部と、この第２の搬送部の終端に設けられ順次搬送されるチップ部品を位置決めしてから１個ずつ分離して取り出す取り出し部とからなり、上記第１の搬送部は、上記チップ部品を水平方向に第２の搬送部へ搬送するよう断面形状が矩形の連通穴を傾斜して設け、上記取り出しスライダーは、上記第１の搬送部の一方側の面に沿って摺動可能に構成され、かつその摺動方向に沿って上記収納部内のチップ部品を案内する溝を設け、この溝に整列されたチップ部品を順次上記連通穴に落とし込むよう構成したものである。
【０００７】
【作用】
この構成により、断面が長方形のチップ部品であっても第１の搬送部に設けた矩形断面の連通穴に順次チップ部品を落とし込み、上記連通穴にチップ部品が詰まることもなく効率良くチップ部品を供給することができる。
【０００８】
【実施例】
（実施例１）
以下、本発明の第１の実施例について図面を用いて説明する。
【０００９】
図１は同実施例によるチップ部品供給装置の構成を示す斜視図、図２はチップ部品を取り出す状態を示した同要部正面図、図３は取り出しスライダー近傍の斜視図、図４は収納部の下部に設けられた第１の搬送部の近傍の要部斜視図、図５は取り出しスライダーの斜視図、図６は、図１のＤ−Ｄ断面図である。
【００１０】
図１において、チップ部品１は第１の収納箱４５にばら状態で収納されており、この第１の収納箱４５は第２の収納箱２上に結合されているが、シャッター（図示せず）を開くことにより第２の収納箱２に第１の収納箱４５のチップ部品１が落下し、ばら状態で収納される。この第１の収納箱４５と第２の収納箱２は、内部がチップ部品１の長さの３倍以上の幅が確保されている。取り出しスライダー３は第２の収納箱２内に下方より差し込まれ、上下に往復する摺動運動をさせることにより第１の搬送部５に設けた連通穴５ａにチップ部品１を落とし込むように構成されている。連通穴５ａに落とし込まれたチップ部品１は、この終端の下部に配設された第２の搬送部となるベルト７上に供給され、このベルト７上面側に配設されたカバー８でガイドされながら矢印Ａ方向に順次搬送される。カバー８でチップ部品１をガイドする際、チップ部品１の厚みの１／２以上もしくは全部をガイドするのが望ましい。ベルト７の先端部まで搬送されたチップ部品１はストッパー１２に当たり定位置に停止する。
【００１１】
このように構成された本実施例のチップ部品供給装置について以下、その動作を説明する。レバー４を電子部品装着装置（図示せず）で矢印Ｂ方向に駆動することにより、レバー１７を介して取り出しスライダー３が上下に往復運動し、取り出しスライダー３に形成された溝に入ったチップ部品１は連通穴５ａに送られる。なお、この時取り出しスライダー３は設定された移動区間の上端から下端へ下降し再び上端へ上昇するように設定しているがレバー４とレバー１７の係合関係を逆にして、下端から上端に上昇し再び下端に下降するように設定しても良い。
【００１２】
また、レバー４を矢印Ｂ方向に駆動することにより、連結片１１を介してラチェット１０、ラチェットホイール９が間欠回転してベルト７を移送し、チップ部品１を矢印Ａ方向へ順次搬送する。さらに連結片１１、ラチェット１０を介してストッパー１２を矢印Ｃ方向に移動させるような関係に構成されており、ストッパー１２とチップ部品１の間に隙間を形成し、電子部品装着装置の真空ノズル５５で１個ずつ分離して供給するようになっている。上記の動作を１サイクルとして順次チップ部品１を取り出すようにしている。
【００１３】
なお、上記図１〜図６において、６は第１の搬送部５の連通穴５ａの上端部に設けたすくい部であり、このすくい部６でチップ部品１を引っ掛けて連通穴５ａに落とし込むために一段高くした構成にしている。１３は本体、１４はガイド板であり、このガイド板１４は本体１３と一体構造で構成しても良い。
【００１４】
また、第２の収納箱２からチップ部品１を取り出す場合、図３では取り出しスライダー３と第２の収納箱２の壁面を用いてチップ部品１を取り出すための溝を形成しているが、図５に示すように取り出しスライダー３のみに溝３ａを形成してもよい。また、溝３ａの形状はチップ部品１の形状により、円形、半円形状等でもよい。
【００１５】
また、図６に示すように第２の収納箱２の内壁の端面にはアール部１５（面取りでもよい）を設け、チップ部品１がロックしないようになっている。
【００１６】
さらに、チップ部品１のロックを防止するために、図７に示すように取り出しスライダー３の溝を形成した側とは反対側の角部に面取り部３ｂ（アールでもよい）を形成して取り出しスライダー３が上昇したとき第２の収納箱２の最下面に位置しているチップ部品１との噛み合いによるロックを防止するようにすることが好ましい。
【００１７】
（実施例２）
以下、本発明の第２の実施例について図面を用いて説明する。
【００１８】
なお、本実施例では取り出しスライダーの形状のみが上記実施例１と異なり、それ以外は実施例１と同じであるため、異なる部分のみを図８、図９を用いて説明する。
【００１９】
図８は同実施例による取り出しスライダーを示した斜視図であり、図８において１６は先端部のチップ部品１と当接する部分に傾斜面１６ａを設けた取り出しスライダーである。図９はこの取り出しスライダー１６を中心とする要部正面図であり、図９においてこの取り出しスライダー１６以外は上記実施例１の図２と同じであるため、同符号を付与して説明は省略する。
【００２０】
図９において上記実施例１と同様の動きにより取り出しスライダー１６が上方に摺動すると、第２の収納箱２内のチップ部品１が押し上げられる。次に、取り出しスライダー１６が下方に摺動すると、チップ部品１は落下して取り出しスライダー１６に形成された溝に入るが、この際、取り出しスライダー１６の先端形状を図８に示すように傾斜面１６ａを設けることにより溝の開口面積が大きくなることから溝に案内されるチップ部品１の数が多くなり、このためチップ部品１の供給量を増し、より高速供給を行うことが可能になるものである。
【００２１】
（実施例３）
以下、本発明の第３の実施例について図面を用いて説明する。
【００２２】
なお本実施例では取り出しスライダーの形状と第２の収納箱のみが上記実施例１と異なり、それ以外は実施例１と同じであるため、異なる部分のみを図１０、図１１を用いて説明する。
【００２３】
図１０は第１の搬送部５の近傍の正面断面図であり、取り出しスライダーが所定の移動間隔の最上端に位置した状態を示している。図１１は図１０の取り出しスライダーが所定の移動間隔の最下端に位置した状態を示している。
【００２４】
図１０、図１１において１８は先端部のチップ部品１と当接する部分の厚みを薄肉にして舌片状にした取り出しスライダーであり、この取り出しスライダー１８の先端部の厚みはチップ部品１の厚みの２倍以下に設定されている。また、取り出しスライダー１８が摺動し、一番下降した状態（図１１）で取り出しスライダー１８の先端位置は第２の収納箱２ａの最下面１９より下方にくるように設定され、かつ、取り出しスライダー１８の先端薄肉部は第２の収納箱２ａの内壁と僅かの隙間が形成されるように構成されている。
【００２５】
このように構成された本実施例のチップ部品供給装置について、以下、その動作を説明する。取り出しスライダー１８が上記実施例１で説明した動作で摺動し、図１０のようにチップ部品１は取り出しスライダー１８により押し出されて上昇した後、図１１のように落下してくるが、このとき取り出しスライダー１８の先端位置は図１１に示すように第２の収納箱２ａの最下面１９より下方にある。このため、多数落下してきたチップ部品１のうち、立ったり、２個以上固まって落ちてきたものは第２の収納箱２ａの最下面１９で引っ掛かり、横になって落ちてきたものだけが取り出しスライダー１８の溝から取り出されることになる。
【００２６】
このように、あらかじめ取り出しスライダー１８の溝に入りやすい状態のチップ部品１を選別できるので第２の収納箱２ａの最下面１９を通過するチップ部品１は少なくなるが、姿勢を変えるための空間的自由度が大きくなり、このために取り出しスライダー１８の先端部の厚みを薄肉にしない場合に比べ、特に長方形断面のチップ部品１の供給量を増加させることができる。
【００２７】
ただし、この第２の収納箱２ａの最下面１９より取り出しスライダー１８の先端位置が下方にあるように設定した場合、チップ部品１が第２の収納箱２ａの内壁を傾斜、下降してきてこの隙間に噛み込むように入り込んで詰まりが発生してしまうことが考えられるが、このような場合には、取り出しスライダー１８の先端位置が図１２に示すように第２の収納箱２ａの最下面１９と面一になるように設定すればこのような詰まりを防止することができ、詰まったチップ部品１を無理やり取り出しスライダー１８で突き上げてチップ部品１を破損させることが無くなることになり、特にこの構成のものは円形や正方形のチップ部品１の供給に有効になるものである。
【００２８】
（実施例４）
以下、本発明の第４の実施例について図面を用いて説明する。
【００２９】
なお、本実施例では取り出しスライダーと当接する第１の搬送部の形状のみが上記実施例１と異なり、それ以外は実施例１と同じであるため、異なる部分のみを図１３、図１４、図１５、図１６を用いて説明する。
【００３０】
図１３、図１４は同実施例による第１の搬送部近傍を示した要部断面正面図であり、図１３は取り出しスライダー１８が摺動区間の最上端の位置にある状態を示し、図１４は取り出しスライダー１８が摺動区間の最下端の位置にある状態を示したものである。また、図１５、図１６はそれぞれ上記図１３、図１４の矢印Ｅ方向から見た状態の矢視図であり、取り出しスライダー１８は上記実施例３で説明した形状のもので説明する。
【００３１】
図１３、図１４、図１５、図１６において１８は取り出しスライダーであり、１はチップ部品、２ａは第２の収納箱、２０は第１の搬送部５Ａの摺動面に形成された突起であり、その先端は図１６に示すように取り出しスライダー１８が最下点にある時、取り出しスライダー１８の面取り部２１より上方にくるように設定されている。
【００３２】
取り出しスライダー１８が上記実施例１で説明した動きで摺動すると取り出しスライダー１８の溝にチップ部品１が順次落ち込むが、図１５に示すように極めて稀にではあるが取り出しスライダー１８の面取り部２１内で詰まる場合がある。しかしながら本実施例によるチップ部品供給装置では、図１４に示すように取り出しスライダー１８が下方に摺動すると、図１６に示すように突起２０にチップ部品１が引っ掛かり押し出される。また、突起２０の上端が取り出しスライダー１８の面取り部２１より上方に設定されているので、面取り部２１と突起２０に引っ掛かったチップ部品１の間に隙間ができ、取り出しスライダー１８が再び上昇する時チップ部品１は衝撃を受けロック状態は解除されることになる。
【００３３】
このように突起２０を設置することにより、ロック状態の解除が早くなり、供給量を増大することができる。
【００３４】
また、図１７に示すように第２の収納箱２ａの下部の取り出しスライダー１８の上部の溝に対応する位置にも突起２０ａを設けることによりさらにチップ部品１の詰まりを無くすることができる。
【００３５】
すなわち、取り出しスライダー１８の摺動により第２の収納箱２ａの上部から下降してくるチップ部品１がこの突起２０ａで方向性を制御され、取り出しスライダー１８の溝に着実に入り込む姿勢に矯正されることになり、上述の詰まりを防止できることになる。
【００３６】
（実施例５）
以下、本発明の第５の実施例について図面を用いて説明する。
【００３７】
なお、本実施例では取り出しスライダーの代わりに取り出しスライダーユニットを用いることのみが上記実施例１と異なるため、異なる部分のみを図１８、図１９、図２０を用いて説明する。
【００３８】
図１８は同実施例による取り出しスライダーユニット２２の斜視図である。図１８、図１９、図２０において２３は本体部、２４はベース部、２５は圧縮バネである。
【００３９】
上記実施例１で説明した動作により取り出しスライダーユニット２２が上方から下方に摺動すると本体部２３が移動間隔の最下点に達するまでにベース部２４が第１の搬送部５に当たり動きを止める。本体部２３は圧縮バネ２５を圧縮しながらさらに下降して、本体部２３とベース部２４とで構成された隙間２６が上方に開放され、溝に落ち込まなかったチップ部品１は飛び出して取り出しスライダーユニット２２より排出されることになる。そして取り出しスライダーユニット２２が下方から上方に移動し停止している時にチップ部品１が落下して取り出しスライダーユニット２２内に形成された溝に落ち込むことになる。
【００４０】
本実施例のように取り出しスライダーユニット２２を構成することにより、取り出しスライダーユニット２２内で詰まったチップ部品１を排出しやすくすることができ、供給量を増加することができる。
【００４１】
（実施例６）
以下、本発明の第６の実施例について図面を用いて説明する。
【００４２】
なお、本実施例では第１の搬送部の連通穴の上端部に設けたすくい部のみが上記実施例１と異なるため、異なる部分のみを図１０、図２１、図２２、図２３、図２４を用いて説明する。
【００４３】
図２１は同実施例による第１の搬送部のすくい部２７、上すくい部２７ａである。図２２において２８は取り出しスライダーである。
【００４４】
図１０において取り出しスライダー１８が上記実施例で説明した動きで摺動すると取り出しスライダー１８の溝にチップ部品１が順次落ち込むが、極めて稀にではあるがチップ部品１がすくい部６で詰まる場合がある。しかしながら本実施例によるチップ部品供給装置では、図２４に示すように取り出しスライダー２８の溝に落ち込んだチップ部品１を上すくい部２７ａに沿って、保持しながらすくい部２７に搬送し連通穴５ａに導くことにより、すくい部２７でチップ部品１が詰まることがなくなる。このように上すくい部２７ａを設けることにより詰まりが無くなり供給量を増大することができる。
【００４５】
（実施例７）
以下、本発明の第７の実施例について図面を用いて説明する。
【００４６】
なお、本実施例では取り出しスライダーを駆動するレバーのみが上記実施例１と異なるため、異なる部分のみを図２５を用いて説明する。
【００４７】
図２５において３は取り出しスライダー、４はレバー、２９ａ，２９ｂは中間レバー、３０ａは中間レバー２９ａ，２９ｂ間に取り付けられた引張バネ、３１は中間レバー２９ｂの最下点を決めるためのストッパー、３２はピン、３０ｂは中間レバー２９ｂとピン３２の間に取り付けられた引張バネ、３３は中間レバー２９ｂに取り付けられたピンであり、ストッパー３１とピン３２はガイド板１４（図示せず）に固定されている。
【００４８】
このように構成された本実施例のチップ部品供給装置について以下、その動作を説明する。取り出しスライダー３を摺動させるために、電子部品装着装置がレバー４を下方（図中矢印Ｆ１方向）へ駆動すると、レバー４と連接している中間レバー２９ａと引張バネ３０ａによって中間レバー２９ｂが駆動され、中間レバー２９ｂと係合している取り出しスライダー３を下降させる（図中矢印Ｆ２方向）。中間レバー２９ｂはストッパー３１によってあらかじめ最下点が設定されており、それ以上に中間レバー２９ｂを下げようとする力が加わっても引張バネ３０ａが伸びることで中間レバー２９ｂへ力を伝えないようになっている。そしてレバー４が上方の元の位置に戻ろうとすると、引張バネ３０ｂの復元力によって中間レバー２９ａを下降させ、さらにピン３３で中間レバー２９ｂを押すことで取り出しスライダー３は元の位置まで戻る。
【００４９】
本実施例のように中間レバー２９ａ，２９ｂによって取り出しスライダー３を摺動することによって、取り出しスライダー３に余分な力が加わっても引張バネ３０ａ，３０ｂが吸収し、チップ部品１を破損させることなく駆動することができる。
【００５０】
（実施例８）
以下、本発明の第８の実施例について図面を用いて説明する。
【００５１】
なお、本実施例では第２の搬送部の終端に設けられたチップ部品の取り出し部のみが上記実施例１と異なるため、異なる部分のみを図２６に用いて説明する。
【００５２】
図２６において、８はカバー、３４はシャッター、３５はこのシャッター３４に設けたカム面、３６はストッパー、３７はこのストッパー３６に取り付けられたローラー、３８は上記カバー８とストッパー３６に取り付けられた引張バネである。
【００５３】
シャッター３４が矢印Ｋ１方向に動くと、シャッター３４に設けたカム面３５でストッパー３６に取り付けたローラー３７を押してストッパー３６を矢印Ｋ２方向へ開き、チップ部品１を電子部品装着装置の真空ノズル（図示せず）で吸着して取り出す。さらに、シャッター３４が矢印Ｌ１方向に動くとカバー８とストッパー３６に取り付けられた引張バネ３８の復元力でストッパー３６は矢印Ｌ２方向へ動いて元の位置にもどる。
【００５４】
このように部品取り出し部を構成することにより、カム面を変化させることでいろいろな種類のチップ部品にも対応でき、しかも高速化をも実現することができる。
【００５５】
（実施例９）
以下、本発明の第９の実施例について図面を用いて説明する。
【００５６】
図２７は振動対策のため上部に連結片を設けた本実施例によるチップ部品供給装置を電子部品装着装置に搭載した場合の正面図、図２８は図２７の平面図である。
【００５７】
図２７、図２８において３９はチップ部品供給装置、４０はチップ部品供給装置の上部に設けた連結片、４５は第１の収納箱、４１は電子部品装着装置の部品供給テーブル、４２は部品供給テーブル４１に固定されたプレートであり、これにバー４３が固定されている。また、バー４３には上記チップ部品供給装置３９に設けた連結片４０に嵌め合わされる複数の凹部４４が設けられている。
【００５８】
このように構成された本実施例のチップ部品供給装置について以下、その動作を説明する。部品供給テーブル４１上にはチップ部品供給装置３９が複数個（通常１５０個程度）搭載され、ＮＣ制御により部品供給テーブル４１が矢印Ｊ方向に移動し、使用すべきチップ部品供給装置３９を選択するようになっているが、部品供給テーブル４１の移動時の加減速によりチップ部品供給装置３９が揺れて第１の収納箱４５の中のチップ部品１が跳びはねて変色するという課題があったが、本実施例ではチップ部品供給装置３９の上部に設けられた連結片４０を、部品供給テーブル４１にプレート４２を介して取り付けられたバー４３の凹部４４に嵌め合わすことにより振動を止めるような構造にしているので、ばら状態で第１の収納箱４５内に収納されているチップ部品の品質は確保され、信頼性の高いチップ部品供給装置を実現することができるものである。
【００５９】
さらに図２９に示すように、部品供給テーブル４１に搭載するチップ部品供給装置３９に第１の収納箱４５を保持するホルダー４６を設けることでその効果をさらに増大させることができるものである。
【００６０】
【発明の効果】
以上のように本発明によるチップ部品供給装置は、チップ部品の断面形状が長方形のチップ部品に対しても、断面矩形状の連通穴を備えた第１の搬送部により、確実でより高速にチップ部品を整列供給できるばかりでなく、断面形状が円形、正方形のチップ部品に対してもより効率のよい供給を行うことができ、その効果は大なるものである。
【００６１】
さらに、上記実施例では第１、第２の収納部と第１、第２の搬送部を１組として１台の同装置に組み込んだ構成としたが、本発明はこれに限定されるものではなく、上記第１、第２の収納部と第１、第２の搬送部を１組としたものを２組分準備し、これを１台の同装置に組み込むことも可能なものであることは言うまでもない。
【図面の簡単な説明】
【図１】本発明の第１の実施例によるチップ部品供給装置の構成を示す斜視図
【図２】同要部正面図
【図３】取り出しスライダー近傍の斜視図
【図４】第１の搬送部の近傍の要部斜視図
【図５】取り出しスライダーの斜視図
【図６】図１のＤ−Ｄ断面図
【図７】取り出しスライダーの斜視図
【図８】本発明の第２の実施例による取り出しスライダーの斜視図
【図９】同取り出しスライダー近傍の要部正面図
【図１０】第３の実施例による取り出しスライダー上端位置の要部正面断面図
【図１１】同下端位置の要部正面断面図
【図１２】同実施例による取り出しスライダーを収納部の最下面と面一とした要部正面断面図
【図１３】第４の実施例による取り出しスライダー上端位置の要部正面断面図
【図１４】同下端位置の要部正面断面図
【図１５】図１３のＥ方向矢視図
【図１６】図１４のＥ方向矢視図
【図１７】同実施例による第１の搬送部近傍の斜視図
【図１８】第５の実施例による取り出しスライダーユニットの斜視図
【図１９】同上端位置の要部断面図
【図２０】同下端位置の要部断面図
【図２１】第６の実施例によるすくい部近傍の斜視図
【図２２】同実施例による取り出しスライダーの斜視図
【図２３】同実施例によるすくい部近傍の要部正面断面図
【図２４】図２３のＦ−Ｆ断面図
【図２５】第７の実施例による中間レバー近傍の正面図
【図２６】第８の実施例による部品取り出し部の平面図
【図２７】第９の実施例によるチップ部品供給装置を電子部品装着装置に搭載した場合の正面図
【図２８】同平面図
【図２９】同実施例によるホルダーを備えたチップ部品供給装置の斜視図
【図３０】チップ部品の斜視図
【図３１】従来のチップ部品供給装置の構成を示す斜視図
【図３２】従来の部品搬送管の径とチップ部品の形状の関係を示す断面図
【符号の説明】
１  チップ部品
２  第２の収納箱
３  取り出しスライダー
４  レバー
５  第１の搬送部
５ａ  連通穴
６  すくい部
７  ベルト
８  カバー
９  ラチェットホイール
１０  ラチェット
１１  連結片
１２  ストッパー
１３  本体
１４  ガイド板
１５  アール部
１６  面取りを設けた取り出しスライダー
１７  レバー
１８  先端部を薄肉にした取り出しスライダー
１９  収納箱の最下面
２０  突起
２１  面取り部
２２  取り出しスライダーユニット
２３  本体部
２４  ベース部
２５  圧縮バネ
２６  隙間
２７  すくい部
２７ａ  上すくい部
２８  取り出しスライダー
２９ａ，２９ｂ  中間レバー
３０ａ，３０ｂ  引張バネ
３１  ストッパー
３２  ピン
３３  ピン
３４  シャッター
３５  カム面
３６  ストッパー
３７  ローラー
３８  引張バネ
３９  チップ部品供給装置
４０  連結片
４１  部品供給テーブル
４２  プレート
４３  バー
４４  凹部
４５  第１の収納箱
４６  ホルダー
５５  真空ノズル
【図１】
0003663651.tif 000002
【図２】
0003663651.tif 000003
【図３】
0003663651.tif 000004
【図４】
0003663651.tif 000005
【図５】
0003663651.tif 000006
【図６】
0003663651.tif 000007
【図７】
0003663651.tif 000008
【図８】
0003663651.tif 000009
【図９】
0003663651.tif 000010
【図１０】
0003663651.tif 000011
【図１１】
0003663651.tif 000012
【図１２】
0003663651.tif 000013
【図１３】
0003663651.tif 000014
【図１４】
0003663651.tif 000015
【図１５】
0003663651.tif 000016
【図１６】
0003663651.tif 000017
【図１７】
0003663651.tif 000018
【図１８】
0003663651.tif 000019
【図１９】
0003663651.tif 000020
【図２０】
0003663651.tif 000021
【図２１】
0003663651.tif 000022
【図２２】
0003663651.tif 000023
【図２３】
0003663651.tif 000024
【図２４】
0003663651.tif 000025
【図２５】
0003663651.tif 000026
【図２６】
0003663651.tif 000027
【図２７】
0003663651.tif 000028
【図２８】
0003663651.tif 000029
【図２９】
0003663651.tif 000030
【図３０】
0003663651.tif 000031
【図３１】
0003663651.tif 000032
【図３２】
0003663651.tif 000033